(57)【特許請求の範囲】
【請求項１】
上方に向かって開口したカード受入口と、
このカード受入口の下方に設けられカード受入口から１枚ずつカードの面方向に落下するカードを案内するカード搬送路と、
このカード搬送路の下端に位置付けられカード搬送路内に進退自在なカード係止部材と、
このカード係止部材に係止されたカードに情報の読み書きをするカードリーダと、
前記係止部材の係止が解除されたカードをカード排出口に導くカード排出路とを備え、  装置が設置された内側の空間と外側の空間を仕切る仕切部材を設け、
この仕切部材を挟んで内側と外側の空間から前記カード受入口へ２種類のカードを供給するように、前記カード搬送路をロート状に形成したことを特徴とする非接触型ＩＣカード発行装置。
【請求項２】
請求項１記載の非接触型ＩＣカード発行装置において、
前記カード搬送路を筒状部材によって形成し、
この筒状部材の上部を揺動自在に支持するとともに、この筒状部材の下部側を、前記カード搬送路から退出する前記カード係止部材に一体に形成した押圧レバーによって外側の空間側に回動させることを特徴とする非接触型ＩＣカード発行装置。
【発明の詳細な説明】
【０００１】
【発明の属する技術分野】
本発明は、未使用の非接触型ＩＣカード（以下、単にカードという）を発行する新規カードの発行と、使用済のカードに情報を書き込む再利用カードの発行を行う非接触型ＩＣカード発行装置（以下、単にカード発行装置という）に関する。
【０００２】
【従来の技術】
一般に、使用済みのカードに再度情報を書込む再利用カードのカード発行装置は、カードが１枚ずつ挿入できるカード挿入口と、挿入されたカードを搬送する搬送部と、搬送されたカードを一時的に停止させて情報を書き込むリーダ部と、所定の情報が書き込まれたカードを排出する排出部とによって概ね構成されていた。また、新規カードを発行するカード発行装置には、上述した再利用カードのカード発行装置のカード挿入口に替わるものとして、未記録のカードを１枚ずつ供給する未記録カード供給部が備えられている。
【０００３】
【発明が解決しようとする課題】
上述した従来のカード発行装置においては、搬送部が、カードを挟んで搬送する一対のベルトと、このベルトを両端において張架するローラと、このローラを回転駆動するモータ等によって構成されるため、部品点数が増加し、構造が複雑になるだけではなく、高価となるという問題があった。
また、上述した従来の再利用カードのカード発行装置においては、カード挿入口が装置の外部、すなわち利用者側に開口され、このカード挿入口から１枚のカードだけ搬送部に供給される構造となっている。一方、新規カードの発行装置は装置側、すなわち管理者側にカード供給部が設けられており、上述した再利用カードのカード発行装置とは、搬送部へカードを供給する供給経路が異なっていた。このために１台で再利用カードと新規カードの発行機能をもたせることは困難であった。これを解決するものとして、カード供給部にあらかじめ未記録のカードに所定の情報を書き込んだ新規カードを供給しておき、新規カードの発行の際には、リーダ部での読み書きを不要とし搬送部を通さずに直接排出部に導くようにしたものも提案されている。しかしながら、この場合にも未記録のカードに所定の情報を書き込むための別の発行装置が必要になるだけではなく、所定の情報を書き込まれた新規カードが盗難されるおそれがあるという別の問題もあった。
【０００４】
本発明は上記した従来の問題に鑑みなされたものであり、第１の目的は構造を簡素化し安価とすることにある。第２の目的は１台の発行装置で再利用カードの発行と新規カードの発行を行えるようにすることにある。
【０００５】
【課題を解決するための手段】
この目的を達成するために、請求項１記載の発明は、上方に向かって開口したカード受入口と、このカード受入口の下方に設けられカード受入口から１枚ずつカードの面方向に落下するカードを案内するカード搬送路と、このカード搬送路の下端に位置付けられカード搬送路内に進退自在なカード係止部材と、このカード係止部材に係止されたカードに情報の読み書きをするカードリーダと、前記係止部材の係止が解除されたカードをカード排出口に導くカード排出路とを備え、装置が設置された内側の空間と外側の空間を仕切る仕切部材を設け、この仕切部材を挟んで内側と外側の空間から前記カード受入口へ２種類のカードを供給するように、前記カード搬送路をロート状に形成したものである。
したがって、カード受入口から受け入れられたカードは、カード搬送路内を自重により落下し、カード係止部材で係止されている間にカードリーダによって情報の読み書きがなされ、カード係止部材の係止が解除されると、カードの自重によりカード排出口から排出される。また、再利用カードは仕切部材の外側からカード搬送路内に挿入され、新規カードは仕切部材の内側からカード搬送路内に供給され、共にカードリーダによって、所定の情報が書き込まれカード排出口から利用者に供給される。
【０００６】
また、請求項２記載の発明は、請求項１記載の発明において、前記カード搬送路を筒状部材によって形成し、この筒状部材の上部を揺動自在に支持するとともに、この筒状部材の下部側を、前記カード搬送路から退出する前記カード係止部材に一体に形成した押圧レバーによって外側の空間側に回動させるものである。
したがって、カード係止部材をカード搬送路から後退させると、カード搬送路が傾き、この傾きに沿ってカードがカード排出口に導かれる。
【０００７】
【発明の実施の形態】
以下、本発明の実施の形態を図に基づいて説明する。図１は本発明に係るカード発行装置を示し、同図（ａ）は正面図、同図（ｂ）は同図（ａ）におけるＩ（ｂ）−Ｉ（ｂ）線断面図、図２は同じく要部の動作を説明するための斜視図で、同図（ａ）はカードに情報を読み書きしている状態を示し、（ｂ）はカードを排出する状態を示す。
図１において、全体を符号１で示すカード発行装置は、仕切板２を挟んで内側の空間Ａ、すなわちカード発行装置１を管理する管理者側の空間に設けられ、仕切板２を挟んで外側の空間Ｂは、カード発行装置１を利用する利用者側の空間を形成している。
【０００８】
カード発行装置１は、上下が開口した角筒状の筐体３と、この筐体３内の上部側に設けられ上下が開口したカード搬送用筒４と、このカード搬送用筒４に対応して設けられたカードリーダ５と、カード搬送用筒４の直下に設けられた係止部材６と、この係止部材６の下方に設けられた排出ガイド板２８とによって概ね構成されている。仕切板２の上部側には、スリット状のカード挿入口７が穿設され、このカード挿入口７に対応して仕切板２の外側にはカード挿入口部材８が取り付けられている。このカード挿入口部材８には、カード挿入口７に連通するカード挿入路８ａが設けられ、このカード挿入路８ａは、図中左下がり傾斜するように形成されている。仕切板２の下方側には、矩形状のカード排出口９が設けられており、この仕切板２のカード排出口９とカード挿入口部材８との間の表面には、図示を省略しているが、操作パネルが設けられている。
【０００９】
筐体３は前面板１０，両側面板１１，１１、背面板１２とによって形成され、前面板１０の下部には矩形状のカード排出口１３が設けられている。この筐体３は、上部の開口３ａが仕切板２のカード挿入口７の下方に位置するように、仕切板２に固定され、カード挿入口７から挿入された使用済みカードＰ２が、カード搬送用筒４の後述するカード受入口１９からカード搬送路１８内に落下するように構成されている。また、筐体３のカード排出口１３と、仕切板２のカード排出口９とは対応するように位置付けられている。１４はシャッタであって、仕切板２のカード挿入口７を閉塞し、ソレノイド１４ａが作動することにより、開放するように構成されている。
【００１０】
図２に示すように、カード搬送用筒４は、背面板１５，両側面板１６，１６および折曲部１７，１７とによって略筒状に形成され、カード搬送路１８を形成し、断面がロート状となるように折曲部１７，１７が図１中右上がりに傾斜するように形成されている。したがって、上方の開口であるカード受入口１９は、下方の開口であるカード落下口２０よりも図１中左右方向の開口幅が大きくなるように形成されている。このカード受入口１９は、筐体３の開口よりやや小さく形成され、一方、カード落下口２０の開口幅は、略カードＰの３枚宛の厚みに形成されている。
【００１１】
このカード搬送用筒４は、両側面板１６，１６の上端部の背面板１５側に突設された小軸２１，２１を介して、筐体３の両側面板１１，１１の内側に枢着されている。このように枢着されたカード搬送用筒４は、通常、背面板１５が筐体２の背面板１２と平行となるように、かつカード受入口１９が筐体３の開口に対応するように支持されており、カード挿入口７および後述する新規カード供給部３０の下方に位置付けられている。したがって、カード挿入口７から挿入された使用済みカードＰ２および新規カード供給部３０から供給される新規カードＰ１は、共にカード受入口１９からカード搬送路１８内に落下するように構成されている。また、係止部材６の後述する押圧レバー２２の押圧によって小軸２１，２１を回動中心として、図１中下端部が反時計方向に回動可能なように構成されている。
【００１２】
カードリーダ５は、カード搬送路１８に対応するように、筐体３の背面板１２の外側に固定されている。係止部材６の基端部には、係止部材６と直交するように押圧レバー２２が一体に形成されているとともに、係合部２３が係止部材６の背面側に突設するように一体に形成されている。係止部材６は、基端部に嵌挿され筐体３の両側面板１１，１１間に横架された軸２４を回動中心として回動自在に支持されている。２５は筐体３の背面板１２に固定されたソレノイドであって、係止部材６の係合部２３に係合しているロッド２６を進退させることにより、係止部材６が軸２４を回動中心として、図１中反時計方向または時計方向に回動する。係止部材６が反時計方向に回動することによって、図２（ａ）に示すように、係止部材６がカード搬送用筒４のカード落下口２０の直下に進出する。また、時計方向に回動することにより、同図（ｂ）に示すように、カード落下口２０の直下から退出するとともに、押圧レバー２２がカード搬送用筒４の背面板１５を押圧するように構成されている。
【００１３】
図１において、２８は排出ガイド板であって、カード搬送用筒４のカード落下口２０の下方と、筐体３のカード排出口１３との間に図中右下がりに傾斜して設けられている。カード搬送用筒４のカード受入口１９の上方には、未記録の新規カードＰ１をカード受入口１９からカード搬送路１８に１枚ずつ供給する新規カード供給部３０が設けられている。
【００１４】
図１（ａ）において、カード挿入口部材８のカード挿入路８ａを横切るＳ１−Ｓ１線上にはセンサ１（図示せず）が設けられ、このセンサ１によってカードの先端が検出されると、ソレノイド１４ａが作動しシャッタ１４が仕切板２のカード挿入口７を開放するように構成されている。カード搬送路１８を横切るＳ２−Ｓ２線上にはセンサ２（図示せず）が設けられ、カード搬送路１８内をカードが落下するのを検出し、ソレノイド２５のロッド２６を前進させ係止部材６をカード落下口２０の直下に進出させる。カード落下口２０の直下を横切るＳ３−Ｓ３線上にはセンサ３（図示せず）が設けられ、このセンサ３によってカードの下端が検出されると、カードリーダ５によるカードへの情報の書込みが開始される。
【００１５】
次に、このような構成のカード発行装置におけるカード発行動作を説明する。
まず、新規カードの発行動作を説明する。
図１において、仕切板２の図示を省略した操作パネルにおいて、新規カードの発行ボタンと金額ボタンを押圧すると、新規カード供給部３０から１枚の未記録の新規カードＰ１が、新規カード供給部３０の下方に位置するカード搬送用筒４のカード受入口１９に供給される。供給された新規カードＰ１は、カード搬送路１８内を自重によって落下し、Ｓ２−Ｓ２線上のセンサ２によって検出されることによって、ソレノイド２５のロッド２６が前進し、図２（ａ）に示すように、係止部材６がカード落下口２０の直下に進出するので、新規カードＰ１は係止部材６によって係止される。
【００１６】
このとき、カード落下口２０の開口幅が、略カードＰの３枚宛の厚みに形成されているので、新規カードＰ１はカード搬送路１８の下部側において、倒れ込むことなく略立設された状態が保持される。この状態において、Ｓ３−Ｓ３線上のセンサ３によって新規カードＰ１の下端が検出されるので、カードリーダ５によって金額ボタンに対応した金額情報が書き込まれる。所定の金額情報が書き込まれると、カードリーダ５による書込みが終了し、ソレノイド２５のロッド２６が後退するので、図２（ｂ）に示すように、係止部材６がカード落下口２０の直下から後退する。同時に、押圧レバー２２がカード搬送用筒４の下端を矢印方向に押圧し、カード排出口９側に傾斜させることにより、新規カードＰ１はカード落下口２０からカード排出ガイド２８上にカード詰まりを起こすことなく円滑に落下するので、利用者はカード排出口９から取り出すことができる。
【００１７】
次に、使用済みカードに情報を書き込み再発行する動作を説明する。
図１（ｂ）において、仕切板２の図示を省略した操作パネルにおいて、使用済みカードの発行ボタンと金額ボタンを押圧し、利用者は自分の使用していた使用済みカードＰ２を、カード挿入口部材８のカード挿入路８ａに挿入する。Ｓ１−Ｓ１線上のセンサ１が使用済みカードＰ２の先端を検出するので、ソレノイド１４ａが作動しシャッタ１４がカード挿入口７を開放する。使用済みカードＰ２はカード受入口１９からカード搬送路１８内に落下し、Ｓ２−Ｓ２線上のセンサ２によって検出されると、上述した新規カードＰ１のときと同様に係止部材６がカード落下口２０の直下に進出するので、使用済みカードＰ２は係止部材６によって係止される。この後、上述した新規カードＰ１のときと同様に、所定の金額情報が書き込まれ、カード排出ガイド２８上に落下するので、利用者はカード排出口９から取り出すことができる。
【００１８】
このように、１台のカード発行装置１によって、未記録の新規カードＰ１と使用済みカードＰ２とに所定の情報を書き込み発行することができるので、利用者に対するサービスの向上が図られるだけではなく、設置空間を小さくできる。また、新規カード供給部３０にはあらかじめ記録されたカードではなく未記録のカードを収納しておくことができるので、仮に、この未記録のカードが盗難されても価値が発生することがなく、結果的にカードの盗難を防止することができる。また、カードリーダ５が、仕切板２を挟んで内側の空間Ａ、すなわち管理者側の空間に設けられていることにより、カードリーダ５の盗難防止または破壊防止がなされるだけではなく、利用者が故意に金属を近づけることができないので誤動作も防止できる。
【００１９】
また、カード受入口１９から受け入れられたカードＰ１，Ｐ２を、カード搬送路１８内を自重で落下させ、カードリーダ５によって情報が書き込まれた後も自重によってカード排出口９に落下させるようにしたので、搬送用のベルト、ローラ、モータ等が不要になる。このため、部品点数が削減され、構造が簡素化されるだけではなく、安価に形成される。
【００２０】
【発明の効果】
以上説明したように、請求項１記載の発明によれば、構造が簡素化され安価に形成される。また、再利用カードと新規カードとを１台のカード発行装置によって発行することができるので、利用者に対するサービスの向上が図られるだけではなく、設置空間を小さくできるとともに、カードの盗難を防止することができる。また、カードリーダの盗難防止または破壊防止がなされるだけではなく、利用者が故意に金属を近づけることができないので誤動作も防止できる。
【００２１】
また、請求項２記載の発明によれば、カード詰まりを防止することができる。
【図面の簡単な説明】
【図１】本発明に係るカード発行装置を示し、同図（ａ）は正面図、同図（ｂ）は同図（ａ）におけるＩ（ｂ）−Ｉ（ｂ）線断面図である。
【図２】本発明に係るカード発行装置における要部の動作を説明するための斜視図で、同図（ａ）はカードに情報を読み書きしている状態を示し、（ｂ）はカードを排出する状態を示す。
【符号の説明】
１…カード発行装置、２…仕切板、３…筐体、４…カード搬送用筒、５…カードリーダ、６…係止部材、７…カード挿入口、９…カード排出口、１４…シャッタ、１８…カード搬送路、１９…カード受入口、２０…カード落下口、２２…押圧レバー、３０…新規カード供給部、Ｐ１…新規カード、Ｐ２…使用済みカード。
【図１】
0003567193.tif 000002
【図２】
0003567193.tif 000003